(57)【要約】【課題】ガラス扉枠および前面枠の開放検知スイッチを共有化し、コストの低減化を図る。【解決手段】機枠１に開閉自在に設けられる前面枠２の前面側にガラス扉枠５が開閉自在に装着され、裏面側に機構板２６が装着され、前面枠２およびガラス扉枠５の開閉を検知する検知スイッチ３８を設けたパチンコ遊技機において、前記ガラス扉枠５および前面枠２の開閉を一つの検知スイッチ３８で検知するようにしたことを特徴とする。【選択図】図５
2010188182.tif 000002
【特許請求の範囲】
【請求項１】
機枠に開閉自在に設けられる前面枠の前面側にガラス扉枠が開閉自在に装着され、裏面側に機構板が装着され、前面枠およびガラス扉枠の開閉を検知する検知スイッチを設けたパチンコ遊技機において、
前記ガラス扉枠および前面枠の開閉を一つの検知スイッチで検知するようにしたことを特徴とするパチンコ遊技機。
【請求項２】
前記検知スイッチを前面枠に設けた進退自在な触子を介して操作するようにしたことを特徴とする請求項１記載のパチンコ遊技機。
【請求項３】
前記検知スイッチを機枠に設けたことを特徴とする請求項１または２記載のパチンコ遊技機。
【請求項４】
前記機構板を機枠に固定すると共に、前記検知スイッチを機構板に設けたことを特徴とする請求項１または２記載のパチンコ遊技機。
【請求項５】
前記検知スイッチを機構板に揺動自在に設けると共に、前面枠およびガラス扉枠の閉鎖時に前記触子と機枠とにより挟持するようにしたことを特徴とする請求項１または２記載のパチンコ遊技機。
【請求項６】
前記スイッチを取付部材を介して装着したことを特徴とする請求項１ないし５のいずれかに記載のパチンコ遊技機。
【請求項７】
前記取付部材に弾性手段を備えたことを特徴とする請求項６記載のパチンコ遊技機。
【発明の詳細な説明】
【技術分野】
【０００１】
本発明は、パチンコ遊技機に開閉自在に装着される前面枠およびガラス扉枠が無用に開放されるのを知らせる検知スイッチを備えたパチンコ遊技機に関するものある。
【背景技術】
【０００２】
従来のパチンコ遊技機には、遊技客がガラス扉枠または前面枠を無断で開放し、不正に賞球を獲得する行為を防止するため、ガラス扉枠および前面枠の開放を検知して報知する防犯用の検知スイッチが前面枠および機枠にそれぞれ設けられていた。
【発明の概要】
【発明が解決しようとする課題】
【０００３】
しかしながら、従来のパチンコ遊技機にあっては、ガラス扉枠および前面枠の開閉を検知する検知スイッチをそれぞれ別々に設けているので、コスト的に高くなっていた。また、前面枠および機枠に設けられていた検知スイッチの配線を機構板側に設けた配線基板に接続しなければならず、配線作業に非常に手間が掛かるという問題があった。
【０００４】
本発明は、上記した問題点に鑑みてなされたもので、その目的とするところは、ガラス扉枠および前面枠の開放検知スイッチを共有化し、コストの低減化を図ることにある。
【課題を解決するための手段】
【０００５】
上記目的を達成するために、請求項１記載の発明は、機枠に開閉自在に設けられる前面枠の前面側にガラス扉枠が開閉自在に装着され、裏面側に機構板が装着され、前面枠およびガラス扉枠の開閉を検知する検知スイッチを設けたパチンコ遊技機において、前記ガラス扉枠および前面枠の開閉を一つの検知スイッチで検知するようにしたことを特徴とする。
【０００６】
また、請求項２記載の発明は、請求項１記載の発明において、前記検知スイッチを前面枠に設けた進退自在な触子を介して操作するようにしたことを特徴とする。
【０００７】
また、請求項３記載の発明は、請求項１または２記載の発明において、前記検知スイッチを機枠に設けたことを特徴とする。
【０００８】
また、請求項４記載の発明は、請求項１または２記載の発明において、前記機構板を機枠に固定すると共に、前記検知スイッチを機構板に設けたことを特徴とする。
【０００９】
また、請求項５記載の発明は、請求項１または２記載の発明において、前記検知スイッチを機構板に揺動自在に設けると共に、前面枠およびガラス扉枠の閉鎖時に前記触子と機枠とにより挟持するようにしたことを特徴とする。
【００１０】
また、請求項６記載の発明は、請求項１ないし５のいずれかに記載の発明において、前記スイッチを取付部材を介して装着したことを特徴とする。
【００１１】
また、請求項７記載の発明は、請求項６記載の発明において、前記取付部材に弾性手段を備えたことを特徴とする。
【発明の効果】
【００１２】
以上に述べたように本発明に係わるパチンコ遊技機は、前面枠およびガラス扉枠の開閉を検知する検知スイッチを一つの検知スイッチで行うようにしたので、コストの低減を図ることができる。また、検知スイッチを機構板に設けることで機構板以外に配線する必要がなく配線作業を極めて容易にすることができる。
【図面の簡単な説明】
【００１３】
【図１】本発明に係わるパチンコ遊技機の正面図である。
【図２】パチンコ遊技機の裏面図である。
【図３】機構板を開放した状態のパチンコ遊技機の裏面斜視図である。
【図４】ガラス扉枠および前面板を開放して示すパチンコ遊技機の下部部分の斜視図である。
【図５】ガラス扉枠および前面枠を開放して示す要部斜視図である。
【図６】機構板の一部を断面にして示す要部正面図である。
【図７】機構板の要部裏面斜視図である。
【図８】図６の側断面図である。
【図９】ガラス扉枠の開放を示す検知スイッチ部分の要部断面図である。
【図１０】前面枠の開放を示す検知スイッチ部分の要部断面図である。
【図１１】前面枠の開放を示す他の実施の形態の検知スイッチ部分の要部斜視図である。
【図１２】検知スイッチの分解斜視図である。
【図１３】検知スイッチの取付を示す分解斜視図である。
【図１４】触子部の分解斜視図である。
【図１５】ガラス扉枠の開放を示す検知スイッチ部分の要部断面図である。
【図１６】前面枠の開放を示す検知スイッチ部分の要部断面図である。
【図１７】他の実施の形態の前面枠を開放して示すパチンコ遊技機の裏面斜視図である。
【図１８】機構板の係止部を示す斜視図である。
【図１９】ガラス扉枠の開放を示す検知スイッチ部分の要部断面図である。
【図２０】前面枠の開放を示す検知スイッチ部分の要部断面図である。
【図２１】前面枠の開放を示す他の実施の形態の検知スイッチ部分の要部斜視図である。
【図２２】検知スイッチの分解斜視図である。
【図２３】ガラス扉枠の開放を示す検知スイッチ部分の要部断面図である。
【図２４】前面枠の開放を示す検知スイッチ部分の要部断面図である。
【図２５】検知スイッチのケース体の分解斜視図である。
【発明を実施するための形態】
【００１４】
次に、本発明の一実施の形態を図面を参照して説明する。図１はパチンコ遊技機の正面図、図２はパチンコ遊技機の裏面図、図３は機構板を開放した状態のパチンコ遊技機の裏面斜視図である。図において、１はパチンコ遊技機の機枠であり、該機枠１の前面に額縁状に形成された前面枠２が開閉自在に取付けられている。該前面枠２の裏面側に該前面枠２と一体に設けられた合成樹脂製の遊技盤取付枠３を介して遊技盤４が取付けられており、その前面を覆うようにガラス扉枠５および前面板６が着脱かつ開閉自在に装着され、該前面板６の前面に打球を供給する上部球受皿７が装着されている。また、前面枠２の下部には上部球受皿７の余剰球を貯留する下部球受皿８と、打球の発射強さを加減する操作ハンドル９が設けられる。なお、本実施の形態では前面枠２と遊技盤取付枠３とを合成樹脂により一体に形成したものとして例示しているが、前面枠２と遊技盤取付枠３とをそれぞれ別体に成形したものであってもよい。
【００１５】
前面枠２の左側縁部はヒンジ具８８を介して機枠１の左端部に蝶着され、ガラス扉枠５の左側縁部も前面枠２の左端部に蝶着されている。そして、自由端を施錠装置８９によって機枠１および前面枠２に閉止状態で施錠しており、前面枠２の前面に設けられたシリンダー錠Ｓの操作によって前記施錠装置８９を作用して前面枠２およびガラス扉枠５を開閉するようになっている。
【００１６】
前記遊技盤取付枠３は、図３および図４に示すように遊技盤４の下端を支持する下枠部３ａとコ字形の上枠部３ｂとからなり、下枠部３ａの前面側に発射レール１８が取着され、該発射レール１８と前記ガイドレール１０との間に開設されるファール球口１９から落下するファール球および前面板６の開放時に、上部誘導路２０から落下する零れ球を受けて下部球受皿８に導くファール球樋２１が形成される。該ファール球樋２１は前面枠２に形成された球導出樋２２を介して下部球受皿８と連通しており、ファール球樋２１に受けられたパチンコ球は、前面枠２の後方に迂回することなく下部球受皿８に導かれる。２３は上部球受皿７に貯留されたパチンコ球が球抜きされる球抜き樋である。
【００１７】
前記ガラス扉枠５は、前面枠２の上半部分を全幅にわたって覆う大きさに形成され、その中央部に遊技盤４の遊技領域４ａが視認可能な方形状の開口が形成される合成樹脂製の本体枠５ａと、該本体枠５ａの裏面側に装着される金属製の補強板５ｂとから構成されている。
【００１８】
前記遊技盤４の前面に遊技球を案内するガイドレール１０が設けられ、このガイドレール１０によって囲まれる遊技領域４ａに一般入賞口１１や可変表示装置１２の図柄を変動させる始動入賞口１３、また可変表示装置１２の予め設定された図柄の組合せにより開放する大入賞口１４等が設けられ、遊技部４ａの最下端にアウト口１５が設けられている。なお、大入賞口１４は、取付板１６に形成した横長の開口に開閉扉１７を前後方向に開閉自在に設け、電気的駆動源により開閉扉１７を開閉する周知のものである。
【００１９】
また、遊技盤４の裏面には入賞球集合カバー２５および機構板２６が配設されており、入賞球集合カバー２５の裏面に遊技内容を制御する回路基板が収納される基板ボックス２７が装着されている。一方前記機構板２６は、ヒンジ具２８によって開閉自在に装着され、図２および図３に示すように機構板２６の開放側および上下に位置して遊技盤取付枠３に設けられた固定手段としての複数の係止具２９と、機構板４に設けられた係止孔３０とにより、機構板２６を遊技盤４の裏面に密着させた状態に圧接して固定するようにしている。
【００２０】
前記係止具２９は、図６および図８に示すように軸部３１と該軸部３１から両側に突出する摘みを兼ねる係止部３２，３２を備え、該係止部３２下面には押圧突起３３を設けており、遊技盤取付枠３の軸３４に木ネジ３５によりに回動自在に螺締めされている。そして、図６鎖線に示すように係止部３２が係止孔３０に嵌る位置と同図実線に示す係止部３２が係止孔３０に嵌合した状態とに規制突起３６，３７により回動規制されている。また、係止部３２が係止孔３０に嵌る位置に規制する規制突起３６は、前記係止孔３０に臨んで機構板２６の位置決めとなると共に荷重を支持するようにしている。
【００２１】
また、前記機構板２６は、合成樹脂により方形状に形成されており、ほぼ中央に前記可変表示装置１２の後部が臨む窓部４２が開設されており、該窓部４２の上方にパチンコ球を貯留する球タンク４３が取付けられる。また、球タンク４３の下方にはパチンコ球を整列して導き出す球誘導樋４４が設けられ、その下流端は、屈曲誘導樋４５を介して所定数のパチンコ球を払出す球払出装置４６が接続されている。
【００２２】
前記球払出装置４６の下方には、図６および図７に示すように該球払出装置４６から払出されたパチンコ球を球導出路４７，上部誘導路２０を介して上部球受皿７に導く球排出樋４８および球抜き樋４９が並設されている。そして、前記開口窓４２より下方の機構板２６部分は、パチンコ球の直径よりも僅かに大きい程度の前後幅寸法とした薄幅に形成され、かつ前面部が開口された凹室状の同一内側空間部として構成されている。そして、その同一内側空間部に前面が開口された樋状の入賞球集合通路５０と入賞球と共にアウト球を合流して機外に排出する排出通路５１と、余剰球通路５２と、球抜き通路５３が集約して形成されており、前記球排出樋４８および球抜き樋４９が開口５４，５５を介して余剰球通路５２と球抜き通路５３の上流部分に連通されるようになっている。
【００２３】
前記余剰球通路５２の下流側には球量検出機構５６が設けられている。この球量検出機構５６は、下端が軸５７により揺動自在に軸支された板状の検知部材５８とマイクロスイッチ５９とを有し、余剰球通路５２に賞球が充満するとその余剰球によって検知部材５８が押されて揺動し、マイクロスイッチ５９を作動するもので、該マイクロスイッチ５９の作動によりその信号が制御回路に送られてパチンコ球の払出動作を停止したり打球の発射動作を不能にする等して遊技を不能動化するようになっている。また、余剰球通路５２の終端に下部球受皿８の球出口６０後面に設けられた下部誘導路６１が位置している。
【００２４】
また、図３および図８に示すように遊技盤４および遊技盤取付枠３の下枠部３ａの一部を前記入賞球集合通路５０と入賞球と共にアウト球を排出する排出通路５１と、余剰球通路５２と、球抜き通路５３の通路壁６２としており、機構板２６を前記固定手段としての複数の係止具２９により遊技盤４に密着固定することにより、前記入賞球集合通路５０および排出通路５１，余剰球通路５２，球抜き通路５３にパチンコ球が流下可能な状態となるように構成している。特に上記通路部５０〜５３の近傍に機構板２６の固定手段２９，３０を設けることで、より密着が確実なものとなる。
【００２５】
また、該余剰球通路５２と球抜き通路５３の通路壁６２部分を導電性を有する金属製のカバー板６２ａとしてビス着等の適宜手段により取付けており、さらに該金属製のカバー板６２ａの上縁を屈曲して不正防止用リブ６３を形成して、球出口６０から侵入するピアノ線等の不正具の侵入を防ぐようにしている。なお、金属板６２ａに替えて導電性素材を混合した合成樹脂により成形してもよい。また、前記不正防止リブ６３を余剰球通路５２および球抜き通路５３に沿うように設けることで不正防止と共に通路部の撓み防止の効果も生ずる。さらに、遊技盤取付枠３および遊技盤４の裏面を通路部の側壁とするだけでなく、機構板２６を側壁として遊技盤取付枠３および遊技盤４に通路部の一部を設けるようにして、機構板２６を遊技盤４裏面に装着することによって通路部としての機能をなすようにしてもよい。このとき、通路壁６２を下枠部３ａと別体に形成することで成形しやすくなる。
【００２６】
しかして、機枠１の開放側に、ガラス扉枠５および前面枠２の開放を検知する検知スイッチ３８が設けられている。前記検知スイッチ３８は、図５および図９に示すガラス扉枠５に設けた触子５ｃを介して検知するようにしている。該触子５ｃは、ガラス扉枠５の補強板５ｂを後方に突出して形成している。そして、図５に示すように前面枠２に貫通して設けられた収納部２ａを介して常に先端が前面枠２の後面に突出するようにしている。なお、収納部２ａは開放側に限られることなく軸支側および上下枠部に設けるようにしてもよい。
【００２７】
前記検知スイッチ３８は、本実施の形態において常閉接点を有するマイクロスイッチであり、図５および図９に示すように機枠１の側板に凹窪して設けられた取付部７２に取付けられる。そして、前記触子５ｃの後端が直接検知スイッチ３８の検知部３８ａを押圧するように対向位置が選ばれる。また、検知スイッチ３８全体が取付部７２の凹部に保護されているので、前面枠２およびガラス扉枠５の開閉時等の諸々の衝撃があっても破損したり緩むといったことを防止することができる。
【００２８】
上記構成の検知スイッチ３８は、図９および図１０に示すようにガラス扉枠５が前面枠２に対して閉じられ、前面枠２が機枠１に閉じられていると、前面枠２の後面に突出した触子５ｃが機枠１の取付部７２に取付けられた検知スイッチ３８の検知部３８ａを押圧して検知スイッチ３８をオフ状態とし、前面枠２およびガラス扉枠５が閉じていることが検出される。
【００２９】
一方、図９鎖線に示すようにガラス扉枠５が開けられると触子５ｃもから離れて、検知部３８ａの押圧を解除し検知スイッチ３８はオン状態となり、ガラス扉枠５が開放されたことを直ちに知らせるようにしている。同じように、図１０に示すように前面枠２が開けられると触子５ｃと検知部３８ａの押圧が解除され、検知スイッチ３８はオン状態となり、前面枠２が開放されたことを報知手段を介して直ちに知らせることができる。報知手段は、ランプおよび警報さらには前記可変表示装置１２の表示部に表示するようにしてもよい。
【００３０】
また、本実施の形態はガラス扉枠５の補強板５ｂを後方に突出して触子５ｃを形成するようにしたが、本体枠５ａまたは透光性のランプ用レンズ，基板保護カバー，音源手段の保護カバー等のガラス扉枠５に設けられた部材を後方に突出して触子５ｃを形成して検知部３８ａを直接押圧するようにしてもよい。このように、一体的に触子５ｃを延出しても受ける場合、触子５ｃが長くなるため、強度的に強いのが望ましく、リブで補強したり補強板５ｂ等の金属製の部材とすることが望ましい。なお、機枠１は合成樹脂またはアルミ，マグネシウム合金等により成形することで、検知スイッチ３８の配線Ｈを収納する溝や係止部を一体に設けることができる。
【００３１】
図１１および図１６に示す前面枠２に設けた触子４０を介して検知スイッチ３８を検知する実施の形態を示している。該触子４０は、図１４に示すようにほぼ前面枠２および遊技盤取付枠３の厚さ分の長さを有した棒状に形成され、途中に抜け止め鍔部４０ａを設けている。そして、図１５および図１６に示すように遊技盤取付枠３の上枠部３ｂに貫通して設けられた収納部６４に付勢部材のスプリング６５と共に収納され、支持蓋６６をビス着６７することで、付勢部材のスプリング６５によって常に先端が前面枠２の前面に突出し、後端が支持蓋６６から臨むように設けられる。なお、付勢部材により付勢された触子４０により、シリンダー錠Ｓの操作によって前記施錠装置８９を解錠操作することによりガラス扉枠５を自動的に開かせることができる。
【００３２】
前記検知スイッチ３８は、図１３に示すように取付部材６９を介して機枠１に取付けられる。該取付部材６９は、図１２に示すように検知スイッチ３８の装着板部６９ａと機枠１への取付板部６９ｂとで断面Ｔ型をしており、検知スイッチ３８を装着板部６９ａの位置決めピン７０で位置決めしてビス７１により組付ける。そして、検知スイッチ３８を組付けた取付部材６９は、図１３および図１５に示すように機枠１の開放側上部隅角に設けられた取付部７２に前後に貫通して設けられた取付凹部７２ａに後方から嵌め込み、弾性係止片７３とビス７４により、機構板２６の開口３９を介して前記触子４０の後端と検知スイッチ３８の検知部３８ａと対向位置するように取付けられる。なお、機枠１を合成樹脂またはマグネシウム合金等の金属により形成することにより、機枠１と取付部７２を一体に形成するのが好ましい。また、本実施の形態において検知スイッチ３８を機枠１に設けるようにしたが、検知スイッチ３８をガラス扉枠５に設けるようにしてもよく、このとき前記触子４０はスプリング６５によって常に後方に突出するように設けると共に、機枠１に該触子４０と接触し前面枠２およびガラス扉枠５が閉じた際に触子４０を押圧する突出部を設けるようにすればよい。
【００３３】
上記構成の検知スイッチ３８は、図１５に示すようにガラス扉枠５が前面枠２に対して閉じられ、前面枠２が機枠１に閉じられていると、スプリング６４の付勢によって前面枠２の前面に突出した触子４０がガラス扉枠５の補強板５ｂ裏面に当たることで触子４０の後端が後方に突出し、該触子４０で検知部３８ａを押圧して検知スイッチ３８をオフ状態とし、前面枠２およびガラス扉枠５が閉じていることが検出される。
【００３４】
一方、図１５鎖線に示すようにガラス扉枠５が開けられると触子４０がスプリング６４の付勢によって前面枠２の前面に突出し、検知部３８ａの押圧を解除し検知スイッチ３８はオン状態となり、ガラス扉枠５が開放されたことを直ちに知らせるようにしている。
【００３５】
また、前面枠２が開けられると図１６に示すように後方に突出した触子４０と検知部３８ａの押圧を解除し、検知スイッチ３８はオン状態となり、前面枠２が開放されたことを直ちに知らせる。
【００３６】
図１７ないし図２０は他の実施の形態を示し、機構板２６を機枠１に回動自在に装着すると共に、該機構板２６に検知スイッチ３８を設けるようにしている。なお、前記実施の形態と同じ構成要素には同一符号を付して説明する。機構板２６は、ヒンジ具２８ａによって開閉自在に装着され、機構板２６の開放側および上下に位置して機構板２６に設けられた固定手段としての複数の係止具２９（通称ナイラッチ）と、機枠１に設けられた固定具Ｋの係止孔３０とにより、機構板２６を機枠１に固定するようにしている。なお、固定具Ｋには前記施錠装置８９の鉤片８９ａの係止部９２も凹欠きして一体に設けられている。また、機構板２６の開放側上部隅角に設けられた取付部７２に前後に貫通して取付凹部７２ａが設けられ、取付部材６９に取付けた検知スイッチ３８を取付凹部７２ａの後方から嵌め込み、弾性係止片７３とビス７４により取付けられ、前面枠２を機枠１に閉じて施錠装置８９の鉤片８９ａが係止部９２に係止することにより遊技盤４と機構板２６が密着状態となり、前記触子４０の後端と検知スイッチ３８の検知部３８ａと対向位置するようになる。そして、検知スイッチ３８の配線Ｈは、図１８に示すように機構板２６前面側に設けた配線収納溝７５を介して中継基板４１に接続される。
【００３７】
上記のように設けられた検知スイッチ３８は、ガラス扉枠５が開けられると図１９に示すように触子４０がスプリング６４の付勢によって前面枠２の前面に突出し、検知部３８ａの押圧を解除し検知スイッチ３８はオン状態となり、ガラス扉枠５が開放されたことを直ちに知らせ、前面枠２が開けられると図２０に示すように後方に突出した触子４０と検知部３８ａの押圧を解除し、検知スイッチ３８はオン状態となり、前面枠２が開放されたことを知らせるようになっている。
【００３８】
図２１ないし図２４はさらに他の実施の形態を示し、検知スイッチ３８を取付部材７６を介して機構板２６に揺動自在に取付けるようにしている。該取付部材７６は、図２２に示すように板状部７６ａに位置決めピン７７が突設され、Ｌ型の側壁７６ｂ上面に軸筒部８５が形成され、他方側壁７６ｂに弾性手段としての弾性片８６が設けられている。そして、検知スイッチ３８を前記位置決めピン７７で位置決めしてビス９０により組付け、図２１および図２３に示すように機構板２６の開放側側縁に設けた取付ボス７８に軸筒部８５を嵌挿してビス着７９することで揺動自在に取付けられる。なお、検知スイッチ３８は、前面枠２を閉じた状態で作動片３８ａが前記触子４０に対向位置すると共に、前記弾性片８６が機枠１に設けられた突部９１に当接する位置関係が設定されて、検知スイッチ３８の配線Ｈは、中継基板４１に接続される。
【００３９】
上記のように設けられた検知スイッチ３８は、図２３に示すように前面枠２およびガラス扉枠５が閉じられた状態では検知スイッチ３８が触子４０および弾性片８６により挟持され、オフ状態となっている。そして、ガラス扉枠５が開けられると同図鎖線に示すように触子４０がスプリング６４の付勢によって前面枠２の前面に突出し、検知部３８ａの押圧を解除し検知スイッチ３８はオン状態となり、ガラス扉枠５が開放されたことを直ちに知らせる。また、前面枠２が開けられると図２４に示すように弾性片８６が機枠１の突部９１から離れ、検知スイッチ３８が軸筒部８５を軸として揺動し、触子４０と検知部３８ａの押圧を解除し、検知スイッチ３８はオン状態となり、前面枠２が開放されたことを知らせる。なお、本実施の形態において、検知スイッチ３８を機構板２６に揺動自在に設けるようにしたが、前面枠２に揺動自在に設けるようにしてもよい。
【００４０】
また、検知スイッチ３８を図２５に示す取付部材としてのケース体８０を介して取付けるようにしてもよく、前記取付部材７６と同じ構成要素には同一符号を付して説明する。該ケース体８０は、図２５に示すように側面が開放し検知スイッチ３８が収納可能な箱状本体８０ａと開口を閉塞する蓋体８０ｂとからなり、箱状本体８０ａに検知スイッチ３８の位置決め突起８４が設けられ、側壁には透孔８７が形成されると共に、該透孔８７から臨んで検知部材８３が設けられる。該検知部材８３の側面はスムーズに作用するようにテーパー面８３ａとしている。
【００４１】
上記構成のケース体８０は、箱状本体８０ａに検知スイッチ３８を位置決め突起８４により位置決めして検知部３８ａと検知部材８３を対向位置して収納し、該蓋体８０ｂに設けた係止孔８１を箱状本体８０ａの係止爪８２に係止することによりビスを使用することなく組立てることができる。また、検知スイッチ３８がケース体８０に保護されているので破損し難く、衝撃による支障も起こり難い。
【００４２】
また、取付部材７６およびケース体８０に弾性片８６を設けることで衝撃を吸収し破損することがなくなり経済的に長く使用することができると共に、機枠１が撓んだり変形したりして検知スイッチ３８との位置関係がずれていても、弾性片８６の弾性により取付部材７６およびケース体８０が軸筒部８５を軸として揺動してずれ分を吸収し確実に検知スイッチ３８が作用することができる。なお、弾性片８６はケース体８０に設けることなく、機枠１側に設けるようにしても同様の効果を得ることができる。また、弾性手段として弾性片を使用して説明したが、スプリング，板ばね等にしてもよく弾性機能により衝撃等を吸収するようにすればよく、例えば検知スイッチ３８自体を揺動自在に装着し、機枠１側に設けた弾性部材により衝撃等を吸収したり、取付部材に検知スイッチ３８全体をスプリングによって可動自在に設けたりするようにすればよい。
【００４３】
上記したように、ガラス扉枠５および前面枠２の開閉を検知する検知スイッチ３８を機構板２６に設けることで中継基板４１への配線の簡略化を図ることができ、故障による検知スイッチ３８の交換も簡単に行うことができる。また、当然のことながら、機構板２６に設ける検知スイッチ３８は機構板２６本体に限られることなく、機構板２６に設けられる球タンク４３，球誘導樋４４，屈曲誘導樋４５，球払出装置４６等に設けてもよく、これらの部品を機構板２６に取付ける際に共締めするか、あらかじめこれらの部品と検知スイッチ３８とをユニット化しておけば、組付け作業を容易にすることができる。また、これらの部品の近傍に設けられた配線基板に配線を接続すれば配線の取付作業性も向上する。
【００４４】
また、前面枠２およびガラス扉枠５の開閉検知スイッチ３８を機構板２６に設けることで、前面枠２およびガラス扉枠５の開閉を検知できるのはもちろんのこと、逆に機構板２６が確実に固定されているかどうかを確認することも可能である。また、本実施の形態の開閉式の機構板２６であれば、運搬時におけるセットずれの確認やホールにおける球詰りの解除や出荷前の点検後の閉鎖確認としても有効である。なお、機構板２６は開閉式のものに限られることなく、引掛け式や固着式のものであっても機構板２６のセット確認を識別するものとして使用することができる。
【００４５】
なお、本実施の形態において検知スイッチ３８を常閉接点を有するマイクロスイッチとしたが、発光部と受光部とからなる光学式センサとしてもよく、ガラス扉枠５および前面枠２の閉鎖時に発光部と受光部間に検知片等が臨むことによってガラス扉枠５および前面枠２が閉じていることを検知するようにしてもよい。
【００４６】
また、本発明は、封入式のパチンコ遊技機は当然のことながら複数の開閉体を備えたスロットマシン等の遊技機にも適用可能である。
【符号の説明】
【００４７】
１・・・機枠
２・・・前面枠
３・・・遊技盤取付枠
５・・・ガラス扉枠
５ｃ・・・触子
２６・・・機構板
３８・・・検知スイッチ
４０・・・触子
６９・・・取付部材
７６・・・取付部材
８０・・・ケース体（取付部材）
８６・・・弾性片（弾性手段）
【図１】
2010188182.tif 000003
【図２】
2010188182.tif 000004
【図３】
2010188182.tif 000005
【図４】
2010188182.tif 000006
【図５】
2010188182.tif 000007
【図６】
2010188182.tif 000008
【図７】
2010188182.tif 000009
【図８】
2010188182.tif 000010
【図９】
2010188182.tif 000011
【図１０】
2010188182.tif 000012
【図１１】
2010188182.tif 000013
【図１２】
2010188182.tif 000014
【図１３】
2010188182.tif 000015
【図１４】
2010188182.tif 000016
【図１５】
2010188182.tif 000017
【図１６】
2010188182.tif 000018
【図１７】
2010188182.tif 000019
【図１８】
2010188182.tif 000020
【図１９】
2010188182.tif 000021
【図２０】
2010188182.tif 000022
【図２１】
2010188182.tif 000023
【図２２】
2010188182.tif 000024
【図２３】
2010188182.tif 000025
【図２４】
2010188182.tif 000026
【図２５】
2010188182.tif 000027